(57)【要約】【課題】運転者に煩わしさを感じさせずに、スクールゾーンを走行していることを案内する走行情報案内装置を提供すること。【解決手段】学校施設の位置に基づき定められたスクールゾーンＳ１、Ｓ２内の道路を走行する場合にスクールゾーン情報を案内する走行情報案内装置１において、車両が走行している走行レーンを検出する走行車線検出手段１５ｄと、走行車線検出手段１５ｄにより検出された走行レーンが歩道と隣接しない場合、スクールゾーン情報の案内を禁止する案内禁止手段１５ｅと、を有することを特徴とする。【選択図】図５
2008064687.tif 000002
【特許請求の範囲】
【請求項１】
学校施設の位置に基づき定められたスクールゾーン内の道路を走行する場合にスクールゾーン情報を案内する走行情報案内装置において、
車両が走行している走行レーンを検出する走行車線検出手段と、
前記走行車線検出手段により検出された走行レーンが歩道と隣接しない場合、前記スクールゾーン情報の案内を禁止する案内禁止手段と、
を有することを特徴とする走行情報案内装置。
【請求項２】
地図情報に基づき前記スクールゾーンを検出するスクールゾーン検出手段を有する、
ことを特徴とする請求項１記載の走行情報案内装置。
【請求項３】
路車間通信により前記スクールゾーンを検出するスクールゾーン検出手段を有する、
ことを特徴とする請求項１記載の走行情報案内装置。
【発明の詳細な説明】
【技術分野】
【０００１】
本発明は、走行中に各種の案内を行う走行情報案内装置に関し、特に、スクールゾーンの案内を行う走行情報案内装置に関する。
【背景技術】
【０００２】
道路上では歩行者の安全確保が優先されることが原則であるが、児童や学童等の交通弱者を保護するため、さらに優先的に児童や生徒を保護するため学校から所定範囲内の領域がスクールゾーンに指定されることが多い。スクールゾーンでは路面表示や標識が掲げられ、スクールゾーン内であることがアピールされるが、車両がスクールゾーンを走行中の場合、音声などで注意喚起されれば運転者はより安全な運転を心がけることができる。そこで、学校から所定範囲を走行している場合に走行注意の案内を行う走行案内装置が提案されている（例えば、特許文献１参照。）。特許文献１の走行案内装置は、自車両が学校施設から所定範囲を走行すると音声や警告音などで注意喚起する。
【特許文献１】特開２００２−２５０６３２号公報
【発明の開示】
【発明が解決しようとする課題】
【０００３】
ところで、二車線以上の走行レーンを有する道路の歩道側でない走行レーンを走行している場合、歩行者が自車両の前に飛び出してくる可能性は低い。このため、例えば、三車線の中央の走行レーンを走行している場合にスクールゾーンを走行する旨を注意喚起すると運転者に煩わしさを感じさせるという問題がある。特許文献１記載の走行案内装置では、幅員が所定以上の場合には車道と歩道とが分離されているとしてスクールゾーンを狭くすることができるが、スクールゾーンを走行する場合には走行している道路の車線数にかかわらず注意喚起を行う点で変わりがなく、運転者に煩わしさを感じさせてしまう。
【０００４】
本発明は、上記課題に鑑み、運転者に煩わしさを感じさせずに、スクールゾーンを走行していることを案内する走行情報案内装置を提供することを目的とする。
【課題を解決するための手段】
【０００５】
上記課題を解決するため、本発明は、学校施設の位置に基づき定められたスクールゾーン内の道路を走行する場合にスクールゾーン情報を案内する走行情報案内装置において、車両が走行している走行レーンを検出する走行車線検出手段と、走行車線検出手段により検出された走行レーンが、歩道と隣接しない場合、スクールゾーン情報の案内を禁止する案内禁止手段と、を有することを特徴とする。
【０００６】
歩行者の飛び出しが想定されない場合にはスクールゾーン情報の案内を行わないことで、運転者に煩わしさを感じさせずにスクールゾーン情報を案内することができる。
【発明の効果】
【０００７】
運転者に煩わしさを感じさせずに、スクールゾーンを走行していることを案内する走行情報案内装置を提供することができる。
【発明を実施するための最良の形態】
【０００８】
以下、本発明を実施するための最良の形態について図面を参照しながら説明する。本実施形態の走行情報案内装置は、原則的に自車両がスクールゾーンを走行している場合にその旨のスクールゾーン情報を案内するが、走行している道路の車線数及び走行レーンを検出し、歩行者の飛び出しが想定されない場合にはスクールゾーン情報の案内を行わない。これにより、運転者に煩わしさを感じさせずにスクールゾーン情報を案内し、運転者に注意喚起することができる。
【０００９】
図１は、本実施形態の走行情報案内装置１のブロック図の一例を示す。走行情報案内装置１はナビＥＣＵ（Electronic  Control  Unit）１５により制御されるものであり、ナビＥＣＵ１５には、ＧＰＳ（Global  Positioning  System）受信装置１１０、車速センサ１２、ジャイロセンサ１３、地図データベース（ＤＢ）１４、表示装置１６、スピーカ１７、マイク１８及び入力装置１９が接続され、また、ＣＡＮ（Controller  Area  Network）など車内ＬＡＮを介して通信装置２１及びカメラセンサ２２が接続されている。
【００１０】
ナビＥＣＵ１００は、プログラムを実行するＣＰＵ、プログラムを記憶するＲＯＭ（Read  Only  Memory）、データやプログラムを一時的に記憶するＲＡＭ（Random  Access  Memory）、電源を切っても保持しておく情報を記憶するＮＶ−ＲＡＭ（Non-Volatile  ＲＡＭ）、他のＥＣＵと通信する通信部、データを入出力する入出力インターフェイス等がバスにより接続されたマイコンとして構成される。
【００１１】
ＣＰＵがプログラムを実行することで、後述するナビゲーションシステムの各機能、位置検出手段１５ａ、スクールゾーン検出手段１５ｂ、スクールゾーン案内手段１５ｃ、走行車線検出手段１５ｄ及び案内禁止手段１５ｅが実現される。
【００１２】
ＧＰＳ受信装置１１は、地球を周回するＧＰＳ衛星から発信される電波を捕捉しその到達時間と光速ｃからＧＰＳ衛星までの距離を算出する。好ましくは４つ以上のＧＰＳ衛星と自車両の距離を算出し、各ＧＰＳ衛星との距離を半径とする球面が交差する点を自車両の位置として検出する。
【００１３】
また、車速センサ１２は車輪の回転速度に応じたパルスを出力し、ジャイロセンサ１３は例えば振動ジャイロであり振動体に働くコリオリ力を検知して車両の方位（角速度）を出力する。
【００１４】
位置検出手段１５ａは、ＧＰＳ受信装置１１が検出した位置は緯度・経度・高度の座標情報に応じた地図を地図ＤＢ１４から抽出し、さらに、自車両が走行している間、車速センサ１２及びジャイロセンサ１３を用いてＧＰＳ受信装置１１が検出した位置に走行距離及び走行方向を累積しながら自律航法により車両の現在位置を検出する。なお、推定した自車両の位置を地図に対応づけるマップマッチング法により、地図上に表示する自車両の位置をさらに補正してもよい。
【００１５】
地図ＤＢ１４は、ハードディスク、ＤＶＤ（Digital  Versatile  Disk）、フラッシュメモリ等の記録媒体により構成される。地図ＤＢ１４には、道路網や交差点などの地図データが、緯度・経度に対応づけて格納されている。地図データは、実際の道路網をノード(道路と道路が交差する点、例えば交差点)及びリンク(ノードとノードを接続する道路)に対応づけた、テーブル状のデータベースとして構成される。また、地図ＤＢ１４には、各リンクの幅員、リンク長、車線数、信号の位置、等が記憶されると共に、学校、病院、ガソリンスタンドなどの地物の位置が記憶されている。
【００１６】
表示装置１６は、液晶ディスプレイやタッチパネルなどのユーザインターフェイスであり、スピーカ１７は音声メッセージや警報音を出力する。例えば、ナビＥＣＵ１５は、検出した現在位置の周辺地図を地図ＤＢ１４から抽出し、指定された縮尺に合わせて表示装置１６に表示する。また、ダイクストラ法など周知のルート検索方法で目的地までの経路を探索した場合には、ルートを地図に重畳して表示すると共に、右左折する交差点の手前で音声により運転者に案内する。
【００１７】
マイク１８及びキーボード１９は、ナビＥＣＵ１５を操作するための入力装置である。マイク１８はユーザの発した音声を捉え、それを音声認識回路が認識して操作信号に変換する。また、キーボード１９は操作ボタンに対応付けられた操作信号をユーザの操作に応じて出力するものであり、無線で接続されたリモコンであってもよい。なお、表示装置１６のタッチパネルも入力装置である。
【００１８】
通信装置２１は、光ビーコン、電波ビーコン及びＦＭ多重放送などを媒体に路側に設けれた路側装置と路車間通信する。路側装置は、常に周囲の交通情報を通信可能領域に送信しているので、通信装置２１は通信可能領域に侵入すると自動的に交通情報を受信する。本実施形態の通信装置２１は、周囲に学校施設があることや車両がスクールゾーンを走行していることを受信する。
【００１９】
カメラセンサ２２は、ルームミラーや後方バンパに配設されたカメラが車両前方及び後方下向きに所定角範囲で広がる領域を撮影した画像データから、画像処理した結果を出力するセンサである。また、ドアミラー等に車両側方を撮影するように配設されていてもよい。カメラセンサ２２は例えばＣＭＯＳ（Complementary  Metal  Oxide  Semiconductor）やＣＣＤ（Charge  Coupled  Device）の光電変換素子を有し、所定の輝度階調（例えば、２５６階調）の画像データを出力する。
【００２０】
車両前方又は後方の白線を検出する場合、画像データの輝度に基づき、所定の閾値以上の輝度を有する領域を画像データの底部から上方に向けて探索する。白線は両端に高周波成分たるエッジを有するので、車両前方の画像データを水平方向に微分すると、白線の両端にピークが得られ、そのピークは白線の線内に、白線外から白線と白線から白線外とで正負逆に得られるため、白線部分が推定できる。
【００２１】
続いて、スクールゾーンについて説明する。一般にスクールゾーンとは、当該学校施設の学校関係者や自治体などが独自に設定した児童や生徒が多く歩行する領域である。したがって、このように設定されたスクールゾーンは通信装置２１により受信しない限り正確に検出することは困難であるが、学校関係者等が設定するスクールゾーンは、概ね学校施設から所定の半径Ａ〔ｍ〕（例えば、５００ｍ）の領域である。したがって、学校施設の位置が地図ＤＢ１４に登録されていれば、その位置から所定の半径内の領域をスクールゾーンとしてよい。
【００２２】
スクールゾーン検出手段１５は、車両の現在位置及び進行方向をキーにして地図ＤＢ１４を参照し、前方に学校施設がある場合には学校施設の位置から半径Ａ〔ｍ〕をスクールゾーンとする。なお、学校施設とは、保育園、幼稚園、養護学校、小学校、中学校、託児所等であるが、学校施設そのもの以外の児童等が多く利用する体育館などの施設を含む。
【００２３】
ところで、スクールゾーンとしばしば同様の意味で用いられる「通学路」は、「各学校施設が、児童・生徒の通学の安全の確保と教育的環境維持のために指定している道路」をいうが、本発明の実施形態に鑑みれば当然に通学路はスクールゾーンに含まれる。通学路は個別の道路が指定されるため学校施設から所定の半径内と定めることが困難な場合、通学路の位置情報は主に路車間通信システムにより取得し、又は、地図ＤＢ１４に記憶されていればそれを利用する。
【００２４】
図２（ａ）は、スクールゾーンの一例を示す。スクールゾーン検出手段１５ｂは、地図ＤＢ１４から学校施設を抽出し、学校施設を中心に半径Ａ〔ｍ〕の円を設定する。図２（ａ）では２つのスクールゾーンＳ１、Ｓ２を示した。
【００２５】
続いて、スクールゾーンの案内について説明する。車両が走行中にスクールゾーンから所定距離（例えばＡ＋１００〔ｍ〕）に近づくと、スクールゾーン案内手段１５ｃは、音声又は表示の少なくとも一方を用いて運転者にスクールゾーンに接近していることを案内し、スクールゾーンに侵入した場合には、スクールゾーンを走行中であることを案内する（以下、単にスクールゾーン情報の案内という場合がある）。
【００２６】
音声による案内の場合、スクールゾーン案内手段１５ｃはＲＯＭに記憶された音声データを読み出して再生したり、音声データの文章から音素を合成して合成音声として出力する。例えば、スクールゾーンに侵入する前は「前方１００ｍからスクールゾーンに侵入します」という音声を、スクールゾーンに侵入した際は「スクールゾーンに侵入しました。児童や生徒に気を付けて運転してください。」という音声を出力する。
【００２７】
音声の内容や音量、音質は、児童や生徒の年齢層に応じて変更してもよい。例えば、幼稚園のスクールゾーンでは、「近くに幼稚園があります。児童の飛び出しに気を付けましょう」と直接的に表現し、また、音量を大きくすると共に周波数の高い音声を出力することで、注意喚起性が向上する。
【００２８】
表示による案内の場合、例えば、スクールゾーンの色を変えて表示装置１６に表示したり、学校施設の標識である「文」のマークを大きく表示したり点滅表示する。図２（ｂ）は、表示装置１６に表示されたスクールゾーン情報の一例を示す。図２（ｂ）では、出力される音声、「文」のマーク、及び、幼稚園生のキャラクタが表示されている。このように、学校施設の年齢層に応じたキャラクタを表示することで、運転者はスクールゾーンを歩行する児童や生徒の年齢層を一目で把握でき、走行中に視認しやすくすることができる。
【００２９】
ところで、車線が複数ある道路を走行している場合、歩道に隣接しない走行レーンを走行しているのであれば、そこがスクールゾーンであったとしても児童や生徒が自車両の前に飛び出してくる可能性は極めて低いし、また、飛び出してきても回避する余裕がある。そこで、本実施形態では走行している走行レーンが歩道に隣接していない走行レーンの場合には、スクールゾーン情報の案内を禁止する。
【００３０】
走行車線検出手段１５ｄは自車両の走行レーンを検出する。まず、走行車線検出手段１５ｄは道路の車線数が複数か否かを検出する。地図ＤＢ１４に車線数が記憶されている場合にはそれを利用し、車線数が記憶されていない場合には幅員が所定以上の場合に複数の車線数が設定されていると判定する。なお、車線数も幅員も記憶されていない場合には一車線と判定する。
【００３１】
車線数が複数の道路における自車両の走行レーンは、位置検出手段１５ａが検出する自車両の位置、カメラセンサ２２が検出する白線や側方の画像データ、ミリ波レーダなどが検出する障害物により検出される。
【００３２】
位置検出手段１５ａは、ジャイロセンサ１３により車両の方位を検出しているので、車両が車線変更した場合にはこれを検出できる。したがって、走行車線検出手段１５ｄは初期状態の走行レーン（例えば、左折直後の車両は左端の走行レーンを走行しているとしてよい）から、車両の車線変更を検出することで走行レーンを検出する。ジャイロセンサ１３だけでなく、ウィンカやステアリングの操舵角の操作情報を利用して車線変更を検出してもよい。
【００３３】
また、上記のようにカメラセンサ２２は前方又は後方を撮影した画像データから走行レーンを区切る白線を検出しているので、白線の検出結果に基づき走行レーンを検出することができる。複数車線の道路では、左端及び右端の白線を連続した白線で、走行レーンを区切る白線を不連続な破線により形成することが多い。したがって、カメラセンサ２２の検出した自車両の左側の白線（左側通行の場合）が連続した白線であれば、歩道に隣接した走行レーンを走行していると検出でき、自車両の左側の白線が破線であれば、歩道に隣接した走行レーンを走行していないと検出できる。走行車線検出手段１５ｄは、カメラセンサ１４から白線の認識結果又は走行レーンの検出結果そのものを受信し、自車両の走行レーンを検出する。
【００３４】
また、ミリ波レーダ装置は、車両前方や斜め前方の立体物との距離及び相対速度を検出するので、自車両の隣接した車線に移動体が存在するか否かを検出することができる。自車両の左側に走行レーンがあれば他車両の走行により自車両と同程度の車速の移動体が検出されるので、走行車線検出手段１５ｄは自車両は歩道に隣接した走行レーンを走行していないと検出できる。
【００３５】
そして、案内禁止手段１５ｅは、スクールゾーンの範囲と車両の位置、走行している道路の車線数及び走行レーンに基づき、スクールゾーン情報の案内を禁止し、また、必要な場合にのみスクールゾーン情報を案内する。
【００３６】
例えば、スクールゾーン検出手段１５ｂはスクールゾーンを走行している場合に「１」となるフラグをＲＡＭに設定し、また、走行車線検出手段１５ｄは歩道に隣接した走行レーンを走行している場合に「１」となるフラグをＲＡＭに設定することとすれば、案内禁止手段１５ｅは、これらのフラグのＡＮＤ演算が「１」でない場合にスクールゾーン情報の案内を禁止する。
【００３７】
〔スクールゾーンへの侵入時〕
図３は、走行情報案内装置１がスクールゾーンに侵入する際にスクールゾーン情報を案内する手順を示すフローチャート図である。
【００３８】
スクールゾーン検出手段１５ｂは進行方向前方のスクールゾーンを常に検出しているので、スクールゾーン案内手段１５ｃは、自車両がスクールゾーンから所定の距離内に入ったか否かを判定する（Ｓ１）。スクールゾーンから所定の距離内に入らない場合、判定を繰り返す。
【００３９】
スクールゾーンから所定の距離内に入った場合（Ｓ１のＹｅｓ）、走行車線検出手段１５ｄは歩道に隣接した走行レーンを走行しているか否かを判定する（Ｓ２）。
【００４０】
歩道に隣接した走行レーンを走行している場合（Ｓ２のＹｅｓ）、スクールゾーン案内手段１５ｃは例えば「前方１００ｍからスクールゾーンに侵入します」等の音声を出力し及び表示装置１６に案内表示を行う（Ｓ３）。
【００４１】
また、歩道に隣接した走行レーンを走行していない場合（Ｓ２のＮｏ）、案内禁止手段１５ｅは音声及び表示による案内を禁止する（Ｓ４）。これにより、児童や生徒の歩行者が飛び出してくる可能性が低い場合はスクールゾーン情報が案内されないので運転者に煩わしさを感じさせることを防止できる。
【００４２】
〔スクールゾーンを走行中〕
図４は、走行情報案内装置１がスクールゾーンを走行中にスクールゾーン情報を案内する手順のフローチャート図を、図５はスクールゾーンの道路を走行する車両の一例を示す図である。
【００４３】
スクールゾーンに侵入するとスクールゾーン案内手段１５ｃは、定期的にスクールゾーンを通過したか否かを判定する（Ｓ１０）。スクールゾーンを通過した場合（Ｓ１０のＹｅｓ）には、スクールゾーン案内手段１５ｃはスクールゾーンを通過した旨、例えば「スクールゾーンを通過しました。これからも安全運転を心がけましょう」等を音声や映像により案内する（Ｓ６０）。なお、スクールゾーンを通過した旨の案内は、スクールゾーンへの侵入時又は走行中にスクールゾーンを走行していることを案内した場合にのみ行うことが、運転者に違和感を与えないため好適である。
【００４４】
スクールゾーンを通過していない場合（Ｓ１０のＮｏ）、スクールゾーン案内手段１５ｃは走行している道路に走行車線が複数設定されているか否かを判定する（Ｓ２０）。走行車線が複数設定されていない場合（Ｓ２０のＮｏ）、歩道があれば必ず歩道に隣接した走行レーンを走行するので、スクールゾーン情報を案内する（Ｓ４０）。
【００４５】
走行車線が複数設定されている場合（Ｓ２０のＹｅｓ）、走行車線検出手段１５ｄは歩道に隣接した走行レーンを走行しているか否かを判定する（Ｓ３０）。
【００４６】
歩道に隣接した走行レーンを走行している場合（Ｓ３０のＹｅｓ）、スクールゾーン案内手段１５ｃは例えば「スクールゾーンを走行中です」等の音声を出力し及び表示装置１６に案内表示を行う（Ｓ４０）。
【００４７】
なお、スクールゾーンへの侵入時又は走行中に既に案内した場合、何度も案内すると煩わしいので、スクールゾーンへの侵入時又は走行中に既に案内した場合には案内を行わない。したがって、ステップＳ４０によりスクールゾーンが案内されるのは、スクールゾーンへの侵入時又は走行中にスクールゾーン情報の案内が未だになされてない場合であって、例えば、スクールゾーンを走行中に車線変更や走行車線の減少により、歩道に隣接した走行レーンを走行することになった場合である。
【００４８】
なお、スクールゾーン内で歩道に隣接した走行レーンを走行中である場合は運転者の意志によりそれを把握可能であることが好ましいので、スクールゾーンへの侵入時又は走行中に既に案内した場合であっても、例えば表示装置１６に小さく「文」のマークを点滅させるなど、表示のみによりスクールゾーン情報を案内してもよい。
【００４９】
歩道に隣接した走行レーンを走行していない場合（Ｓ３０のＮｏ）、案内禁止手段１５ｅは、音声及び表示による案内を禁止する（Ｓ５０）。
【００５０】
したがって、図５に示したように、片側三車線のうち歩道に隣接した走行レーンを走行している車両では、少なくとも１回はスクールゾーンである旨の案内がされ、中央又は右端の走行レーンを走行している車両では、一切、スクールゾーンを走行中である旨の案内は行われない。これにより、児童や生徒の歩行者が飛び出してくる可能性が低い場合はスクールゾーン情報が案内されないので運転者に煩わしさを感じさせることを防止できる。
【００５１】
〔歩道に隣接した道路を走行していない場合に、表示のみによりスクールゾーン情報を案内する〕
歩道に隣接した道路を走行していない場合であっても、煩わしさを感じさせない範囲であれば侵入時又は走行中にスクールゾーン情報を案内してもよい。
【００５２】
図６は、走行情報案内装置１がスクールゾーンを走行中にスクールゾーン情報を案内する手順を示すフローチャート図である。図６において図４と同一ステップには同一の符号を付しその説明は簡単に行う。なお、侵入時においても同様であるのでフローチャート図は省略する。
【００５３】
スクールゾーンに侵入するとスクールゾーン案内手段１５ｃは、定期的にスクールゾーンを通過したか否かを判定する（Ｓ１０）。スクールゾーンを通過した場合（Ｓ１０のＹｅｓ）、スクールゾーン案内手段１５ｃは通過した旨を音声や映像により案内する（Ｓ６０）。  
ついで、スクールゾーン案内手段１５ｃは走行している道路に走行車線が複数設定されているか否かを判定する（Ｓ２０）。
【００５４】
走行車線が複数設定されていない場合（Ｓ２０のＮｏ）、歩道があれば必ず歩道に隣接した走行レーンを走行するので、スクールゾーン情報を案内する（Ｓ４１）。
【００５５】
走行車線が複数設定されている場合（Ｓ２０のＹｅｓ）、走行車線検出手段１５ｄは歩道に隣接した走行レーンを走行しているか否かを判定する（Ｓ３０）。
【００５６】
歩道に隣接した走行レーンを走行している場合（Ｓ３０のＹｅｓ）、スクールゾーン案内手段１５ｃは、例えば「スクールゾーンを走行中です」等の音声を出力し及び表示装置１６に案内表示を行う（Ｓ４１）。
【００５７】
そして、歩道に隣接した走行レーンを走行していない場合（Ｓ３０のＮｏ）、案内禁止手段１５ｅは、音声による案内を禁止する（Ｓ５１）。したがって、スクールゾーン案内手段１５ｃは表示のみ、例えば表示装置１６に小さく「文」のマークや児童のキャラクタ等の表示によりスクールゾーン情報を案内する。表示のみの案内であれば、運転者は煩わしく感じることも少なく、また、運転者が表示装置１６に視線を配ればスクールゾーンを走行していることを把握することができる。すなわち、スクールゾーン情報の案内と煩わしさの防止を両立することができる。
【００５８】
〔スクールゾーンにおいて右折する場合〕
車両が右折する場合、右端の走行レーンから右折することが義務づけられる場合が多い（左側通行の場合）が、本実施形態では右折レーンが歩道に隣接していないとスクールゾーン情報が案内されない。しかしながら、右折時に横断歩道がある場合、児童や生徒が車両の前に飛び出してくるおそれがあることから、右折時にはスクールゾーン情報の案内を行うべきである。また、右折はそれほど頻繁に行う操作でないので案内が煩わしくなることもない。
【００５９】
図７は、走行情報案内装置１がスクールゾーンを走行中の右折時にスクールゾーン情報を案内する手順を示すフローチャート図である。なお、図７において図４と同一ステップには同一の符号を付しその説明は簡単に行う。
【００６０】
スクールゾーンに侵入するとスクールゾーン案内手段１５ｃは、定期的にスクールゾーンを通過したか否かを判定する（Ｓ１０）。スクールゾーンを通過した場合（Ｓ１０のＹｅｓ）には、スクールゾーン案内手段１５ｃは通過した旨を音声や映像により案内する（Ｓ６０）。  
ついで、スクールゾーン案内手段１５ｃは走行している道路に走行車線が複数設定されているか否かを判定する（Ｓ２０）。
【００６１】
走行車線が複数設定されていない場合（Ｓ２０のＮｏ）、歩道があれば必ず歩道に隣接した走行レーンを走行するので、スクールゾーン情報を案内する（Ｓ４０）。
【００６２】
走行車線が複数設定されている場合（Ｓ２０のＹｅｓ）、走行車線検出手段１５ｄは歩道に隣接した走行レーンを走行しているか否かを判定する（Ｓ３０）。
【００６３】
歩道に隣接した走行レーンを走行している場合（Ｓ３０のＹｅｓ）、スクールゾーン案内手段１５ｃは、例えば「スクールゾーンを走行中です」等の音声を出力し及び表示装置１６に案内表示を行う（Ｓ４０）。
【００６４】
歩道に隣接した走行レーンを走行していない場合（Ｓ３０のＮｏ）、案内禁止手段１５ｅは、音声及び表示による案内を禁止する（Ｓ５０）。したがって、歩道に隣接した走行レーンを走行していない場合、スクールゾーン情報が案内されないので運転者に煩わしさを感じさせることを防止できる。
【００６５】
ついで、案内禁止手段１５ｅは車両が右折するか否かを判定する（Ｓ７０）。右折するか否かは、ウィンカスイッチの操作から検出する。そして、車両が右折する場合（Ｓ７０のＹｅｓ）、案内禁止手段１５ｅは音声及び表示による案内の禁止を解除する。
これにより、スクールゾーン案内手段１５ｃは、例えば「スクールゾーンを走行中です。右折時には児童や生徒にお気を付けください。」と音声を出力し、また、表示装置１６に案内表示を行う（Ｓ４０）。
【００６６】
したがって、歩道に隣接した走行レーンを走行していない場合、スクールゾーン情報の案内がされないので煩わしさを感じさせることを防止でき、右折する場合にはスクールゾーン情報を案内するので児童や生徒が通過するおそれのある横断歩道を横切る場合にはピンポイント的に注意喚起することができる。
【００６７】
なお、車両が左折する場合、車両は歩道に隣接した走行レーンを走行するため、すでにスクールゾーン情報の案内は行われている。しかしながら、左折時は車両の左後方の死角に伸長の低い児童や生徒が巻き込まれるおそれがあるので、車両が左折する場合、スクールゾーン案内手段１５ｃは再度、スクールゾーン情報の案内を行うことが好適である。ウィンカスイッチの操作から左折を検出した場合、スクールゾーン案内手段１５ｃは、例えば「スクールゾーンを走行中です。左折時には児童や生徒の巻き込みにお気を付けください。」と音声を出力し、また、表示装置１６に案内表示を行う。
【００６８】
以上のように本実施形態の走行情報案内装置１は、児童や生徒等の歩行者が飛び出してくる可能性が低い場合はスクールゾーン情報を案内しないので、煩わしさを感じさせずにスクールゾーン情報を案内することができる。また、児童や生徒等の歩行者が飛び出してくる可能性が低い場合であっても表示装置１６に表示のみによりスクールゾーン情報を案内することで運転者の意志によりスクールゾーンを走行中であることを把握できる。また、右折する場合にはスクールゾーン情報が案内されるので、確実に注意喚起することができる。
【図面の簡単な説明】
【００６９】
【図１】走行情報案内装置のブロック図の一例である。
【図２】スクールゾーンの一例、及び、表示装置に表示されたスクールゾーンを案内する表示の一例を示す図である。
【図３】走行情報案内装置がスクールゾーンに侵入する際にスクールゾーンを案内する手順を示すフローチャート図である。
【図４】走行情報案内装置がスクールゾーンを走行中にスクールゾーンを案内する手順のフローチャート図である。
【図５】スクールゾーンの道路を走行する車両の一例を示す図である。
【図６】走行情報案内装置がスクールゾーンを走行中にスクールゾーンを案内する手順を示すフローチャート図である。
【図７】走行情報案内装置がスクールゾーンを走行中の右折時にスクールゾーンを案内する手順を示すフローチャート図である。
【符号の説明】
【００７０】
１      走行情報案内装置
１１    ＧＰＳ受信装置
１２    車速センサ
１３    ジャイロセンサ
１４    地図ＤＢ
１５    ナビＥＣＵ  
１６    表示装置  
１７    スピーカ
１８    マイク
１９    キーボード
２１    通信装置
２２    カメラセンサ
Ｓ２１，Ｓ２２  スクールゾーン
【図１】
2008064687.tif 000003
【図２】
2008064687.tif 000004
【図３】
2008064687.tif 000005
【図４】
2008064687.tif 000006
【図５】
2008064687.tif 000007
【図６】
2008064687.tif 000008
【図７】
2008064687.tif 000009